(57)【要約】      （修正有）【課題】第１電極と第２電極とを重畳させたときのモアレ発生を抑制し、特に低周波のモアレ発生を抑制するように構成されたタッチパネル装置を提供する。【解決手段】タッチパネル装置は、互いに並走する複数の第１電極３と、該第１電極の並走と直交する方向に互いに並走する複数の第２電極５とが互いに絶縁されるとともに重畳して配置された平面状をなすパネル本体を備える。ここで、前記第１電極は、第１の方向に対して、時計方向および反時計方向に所定角度θ傾いた複数の導体線が所定の間隔で配置された格子状をなし、また、前記第２電極は、前記第１の方向と直交する第２の方向に対して、時計方向および反時計方向に前記所定角度θ傾いた複数の導体線が所定の間隔で配置された格子状をなし、前記所定角度を９０度未満とする構成としている。【選択図】図６
2011248722.tif 000002
【特許請求の範囲】
【請求項１】
互いに並走する複数の第１電極と、該第１電極の並走と直交する方向に互いに並走する複数の第２電極とが互いに絶縁されるとともに重畳して配置された平面状をなすパネル本体を備えたタッチパネル装置であって、
前記第１電極は、第１の方向に対して、時計方向および反時計方向に所定角度傾いた複数の導体線が所定の間隔で配置された格子状をなし、
前記第２電極は、前記第１の方向と直交する第２の方向に対して、時計方向および反時計方向に前記所定角度傾いた複数の導体線が所定の間隔で配置された格子状をなし、
前記所定角度は、９０度未満であることを特徴とするタッチパネル装置。
【請求項２】
基板を備え、
前記複数の第１電極は、前記基板の第１面に一定間隔で形成され、
前記複数の第２電極は、前記第１面の裏側の第２面に一定間隔で形成されていることを特徴とする請求項１に記載のタッチパネル装置。
【請求項３】
第１基板と、
該第１基板に重畳される第２基板とを備え、
前記複数の第１電極は、前記第１基板の前記第２基板を臨む面に一定間隔で形成され、
前記複数の第２電極は、前記第２基板の前記第１基板の反対面に一定間隔で形成されていることを特徴とする請求項１に記載のタッチパネル装置。
【請求項４】
前記所定の角度は、２０度以上３５度未満であることを特徴とする請求項１乃至請求項３のいずれかに記載のタッチパネル装置。
【発明の詳細な説明】
【技術分野】
【０００１】
本発明は、電極が配設された平板状をなすパネル本体の表面側に、ユーザの指などの指示物によるタッチ操作が行われるタッチ面が平面状に形成されたタッチパネル装置に関するものである。
【背景技術】
【０００２】
タッチパネル装置は、電極が配設された平板状をなすパネル本体の表面側にユーザの指などの指示物によってタッチ操作を行うタッチ面が平面状に形成されており、２次元の座標入力手段として、パソコンや電子機器のディスプレイの前面に配置されている。
【０００３】
タッチパネル装置としては、指を接触させるもしくは近接させることによって静電容量を変化させて位置を検出する静電容量式のものがある（例えば、特許文献１）。静電容量式のタッチパネル装置は、誘電体の基板の一面に第１電極を、他面に第２電極を形成している。そして、タッチパネル装置は、ユーザの指がタッチパネルに接触もしくは近接されると、第１電極と第２電極とが交叉する部分の静電容量が変化するため、この静電容量の変化を検出して座標を算出している。
【０００４】
また、タッチパネル装置はディスプレイの前面に配置されるため、ディスプレイの画像が識別できるように透明とする必要がある。特許文献１において開示された技術は、銅または銅合金の電極を網目状に配設することで透明性を向上させている。
【０００５】
しかし、特許文献１において開示された技術では、網目状の電極が配設された一面のみに注目しており、網目状の電極を他面に配置して、二つの電極（第１電極、第２電極）が重畳されたときに、二つの電極間の位置関係が少しでもずれると干渉縞（モアレ）が生ずるおそれがある。モアレは繰り返し模様を重ね合わせたときに周期のズレによって生ずる縞模様であり、モアレの発生はディスプレイの表示を見にくくさせてタッチパネル装置の視覚的な操作性を低下させる。モアレには、大きく分けて、大きな模様が連続的に現れる低周波のモアレと、小さな模様が連続的に現れる高周波のモアレとがあり、特に低周波のモアレがディスプレイの表示と重なることで表示を見にくくさせるおそれがある。また、モアレは、タッチパネル装置の電極間の位置関係だけではなく、ディスプレイの画素パターンと網目状の電極との間でも生ずるおそれがある。
【０００６】
特許文献１に開示されているように、正方形が核となって連続するものは、他の多角形状に比べて電極の網目パターンが筋状に認識され難いので好ましい。特許文献１における問題を解消するために、第１電極と第２電極とにそれぞれが正方形の核となる所定の方向に連続するパターンを形成させて、これらのパターンが第１電極と第２電極とで相補的に重畳させる技術が開示されている（特許文献２）。特許文献２の構成は、相補的な重畳によって網目同士が重なることを防止し、さらにディスプレイの画素パターンに対して網目を傾斜させることで、モアレの発生を抑制している。
【先行技術文献】
【特許文献】
【０００７】
【特許文献１】特開２００６−３４４１６３号公報
【特許文献２】特開２０１０−０３９５３７号公報
【発明の概要】
【発明が解決しようとする課題】
【０００８】
しかしながら、特許文献２において開示された技術は、図２に示されるように蛇行させる複雑なパターンを相補的に重畳させること、特に特許文献２の図４に示されるように格子を形成するには格子の４辺が第１電極と第２電極との複雑な組み合わせで構成されることから、第１電極と第２電極とを重ねるときの僅かなパターンのズレがモアレを発生させるおそれがあった。さらに特許文献２の図７に示されるように部分的に網目を集中させる構成も、パターンの位置ズレによって低周波のモアレが生ずるおそれがあった。また、特許文献２の図２，４に示されるように電極として機能しない第１，２補助線を設けることになり、構成として望ましいものではなかった。
【０００９】
本発明は、このような従来技術の問題点を解消するべく案出されたものであり、その主な目的は、第１電極と第２電極とを重畳させたときのモアレ発生を抑制し、特に低周波のモアレ発生を抑制するように構成されたタッチパネル装置を提供することにある。
【課題を解決するための手段】
【００１０】
本発明のタッチパネル装置は、互いに並走する複数の第１電極と、該第１電極の並走と直交する方向に互いに並走する複数の第２電極とが互いに絶縁されるとともに重畳して配置された平面状をなすパネル本体を備える。ここで、前記第１電極は、第１の方向に対して、時計方向および反時計方向に所定角度傾いた複数の導体線が所定の間隔で配置された格子状をなし、また、前記第２電極は、前記第１の方向と直交する第２の方向に対して、時計方向および反時計方向に前記所定角度傾いた複数の導体線が所定の間隔で配置された格子状をなし、前記所定角度を９０度未満とする構成としている。
【発明の効果】
【００１１】
本発明は、平面状をなすパネル本体に形成された第１電極と第２電極とを重畳させることで、第１電極のパターンと第２電極のパターンとの相互作用によって、第１電極もしくは第２電極の延伸方向に対して、所定角度の方向及び所定角度と直交する方向に互いに均等な正方形が核となって連続するパターンを形成させる。このように、本発明は、複雑な組み合わせを構成することなく、相互作用によって多少の位置ズレを許容しつつ、他の多角形状に比べて電極の網目パターンが筋状に認識され難い正方形のパターンを連続的に発生させて、モアレの発生、特に低周波のモアレの発生を抑制することができる。すなわち、本発明は、第１電極と第２電極との位置関係によって生ずるおそれがある低周波モアレを低減させるとともに、ディスプレイの画素パターンと網目状の電極との間で生ずるおそれがある低周波モアレをも低減させるという著しい効果を奏する。
【図面の簡単な説明】
【００１２】
【図１】本発明の一実施形態にかかるタッチパネル装置のパネル本体を示す模式的な断面図
【図２】一実施形態にかかる第１電極の構成を示す平面図
【図３】図２の拡大平面図
【図４】一実施形態にかかる第２電極の構成を示す平面図
【図５】図４の拡大平面図
【図６】一実施形態にかかる第１電極と第２電極とを重畳させた構成を示す平面図
【図７】図６の拡大平面図
【図８】参考例にかかる第１電極と第２電極とを重畳させた構成を示す平面図
【図９】参考例をディスプレイに取り付けたときのシミュレーション画像
【図１０】実施例をディスプレイに取り付けたときのシミュレーション画像
【図１１】所定角度θ＝０ｄｅｇ．のパネル本体を、ディスプレイに取り付けたときのシミュレーション画像
【図１２】所定角度θ＝５ｄｅｇ．のパネル本体を、ディスプレイに取り付けたときのシミュレーション画像
【図１３】所定角度θ＝１０ｄｅｇ．のパネル本体を、ディスプレイに取り付けたときのシミュレーション画像
【図１４】所定角度θ＝１５ｄｅｇ．のパネル本体を、ディスプレイに取り付けたときのシミュレーション画像
【図１５】所定角度θ＝２０ｄｅｇ．のパネル本体を、ディスプレイに取り付けたときのシミュレーション画像
【図１６】所定角度θ＝２５ｄｅｇ．のパネル本体を、ディスプレイに取り付けたときのシミュレーション画像
【図１７】所定角度θ＝３０ｄｅｇ．のパネル本体を、ディスプレイに取り付けたときのシミュレーション画像
【図１８】所定角度θ＝３５ｄｅｇ．のパネル本体を、ディスプレイに取り付けたときのシミュレーション画像
【図１９】所定角度θ＝４０ｄｅｇ．のパネル本体を、ディスプレイに取り付けたときのシミュレーション画像
【発明を実施するための形態】
【００１３】
本発明の一側面によれば、基板を備え、前記複数の第１電極は、前記基板の第１面に一定間隔で形成され、前記複数の第２電極は、前記第１面の裏側の第２面に一定間隔で形成されるように構成することもできる。かかる構成は、電極基板の表裏に第１，第２電極を形成できるため、コンパクト化をすることができる。
【００１４】
本発明の一側面によれば、第１基板と、該第１基板に重畳される第２基板とを備え、前記複数の第１電極は、前記第１基板の前記第２基板を臨む面に一定間隔で形成され、前記複数の第２電極は、前記第２基板の前記第１基板の反対面に一定間隔で形成されるように構成することもできる。かかる構成は、第１，第２電極それぞれが電極基板を有するため、確実な絶縁を図ることができる。
【００１５】
本発明の一側面によれば、前記所定の角度は、２０度以上３５度未満とすることが好適である。さらに好ましくは２５度以上３０度未満とすることが好適である。かかる構成は、適宜所定角度θを選択することで、他の多角形状に比べて電極の網目パターンが筋状に認識され難い正方形のパターンを発生させて、モアレの発生、特に低周波のモアレの発生を抑制することができる。
【００１６】
本発明が適用されたタッチパネル装置は、パソコンや電子機器のディスプレイの前面に配置される静電容量式のタッチパネルである。ディスプレイには複数の画素が配列されており、画素を画定するブラックマトリックスが形成されている。タッチパネル装置は、ユーザの指によるタッチ操作が行われるタッチ面を備えた平板状をなすパネル本体と、タッチ面に対する指によるタッチ操作に応じた静電容量の変化からタッチ位置を検出する位置検出部（制御手段）とを備えている。以下、本発明にかかるタッチパネル装置のパネル本体の一実施形態を、図面を参照しながら説明する。
【００１７】
図１はパネル本体１の厚さ方向断面を示す模式的な部分断面図である。パネル本体１は数ｍｍ程度の厚さで構成されるかなり薄いものであるが、図１では説明のためにパネル本体１の厚さを拡大して模式的に表している。
【００１８】
パネル本体１は、ディスプレイ（図示せず）に取り付けられる側から第２電極基板６と、この第２電極基板６に接着剤８を介して重畳される第１電極基板４と、この第１電極基板４に接着剤７を介して取り付けられるパネル基材２とから構成されている。
【００１９】
第１電極基板４の第２電極基板６と反対側の面には第１電極３が配置され、第２電極基板６の第１電極基板４側には第２電極５が配置されている。
【００２０】
パネル基材２には透明の絶縁材料が適用され、例えば、ガラスや、透明の樹脂であるポリエチレン（ＰＥ）、ポリカーボネート（ＰＣ）、ポリスチレン（ＰＳ）、ポリ塩化ビニル（ＰＶＣ）、ナイロン／ポリアミド（ＰＡ）、アクリル（ＰＭＭＡ）、ポリプロピレン（ＰＰ）、ポリイミド（ＰＩ）、アクリロニトリル・スチレン・コポリマー（ＡＳ）、ポリエーテルサルフォン（ＰＥＳ）等を適用することができる。パネル基材２の厚みはガラスの場合には０．１〜５ｍｍであり、このときの比誘電率は２〜１０である。
【００２１】
パネル基材２の第１電極基板４と反対側の面はユーザの指によるタッチ操作が行われるタッチ面９となっている。パネル基材２と第１電極基板４との間の接着剤７は、第１電極３を保護するように塗布等によって形成されており、例えばアクリル系の透明接着剤を適用することができる。
【００２２】
図２も併せて参照すると、第１電極基板４には、互いに並走する複数の第１電極３，３が一定間隔で設けられている。なお、図２では、説明のために３つの第１電極３のみを示している。第１電極３の端部には端子１０が設けられており、端子１０は位置検出部（図示せず）に連結されている。
【００２３】
図３も併せて参照すると、第１電極３は、端子１０，１０間を結ぶ第１の方向１３に対して時計方向および反時計方向に所定角度θだけ傾いた複数の導体線１１，１２が所定の間隔で配置されることで、導体線１１，１２によって構成された頂角２θの菱形格子が連続する形状をなしている。
【００２４】
第１電極３の形成には導電性材料が適用され、例えば、金属材である銀、金、銅、アルミニウム、白金、パラジウム等、もしくはこれらの金属粒子が含まれる導電性インクを適用することができる。第１電極３は、第１電極基板４上に導体線１１，１２を印刷成形等によって形成することができ、例えば、グラビア印刷、スクリーン印刷、インクジェットやフォトリソグラフィー等の手段を適用することができる。なお、図３に示すように、平面視では角度の異なる２本の導体線１１，１２が交叉するように表されているが、導体線１１，１２は前記のように印刷成形等によって形成されるものであり、一の第１電極３内では全てが電気的に導通されているものである。ここで、導体線１１，１２の形成に銀ペーストを適用した場合、例えば、幅５〜５０μｍ、厚み２〜２０μｍとすることができ、このときの体積抵抗は１×１０−４Ω・ｃｍ〜１×１０−５Ω・ｃｍ、配線抵抗は５０Ω〜１ｋΩとなる。
【００２５】
第１電極基板４には透明の絶縁材料が適用され、例えば、透明の樹脂である、ポリエチレンテレフタレート（ＰＥＴ）、ポリエチレン（ＰＥ）、ポリカーボネート（ＰＣ）、ポリスチレン（ＰＳ）、ポリ塩化ビニル（ＰＶＣ）、ナイロン／ポリアミド（ＰＡ）、アクリル（ＰＭＭＡ）、ポリプロピレン（ＰＰ）、ポリイミド（ＰＩ）、アクリロニトリル・スチレン・コポリマー（ＡＳ）、ポリエーテルサルフォン（ＰＥＳ）等を適用することができる。パネル基材２の厚みは、例えば、ＰＥＴフィルムの場合には０．０５〜２ｍｍであり、比誘電率は２．５〜５である。
【００２６】
第１電極基板４と第２電極基板６との間の接着剤８は、第２電極５を保護するように塗布等によって形成されており、例えばアクリル系の透明接着剤を適用することができる。
【００２７】
続いて、図４を参照すると、第２電極基板６には、互いに並走する複数の第２電極５，５が一定間隔で設けられており、第２電極５の端部には第１電極３の端子１０の位置と直交するように端子１４が設けられている。なお、図４においても、図２と同様に、説明のために３つの第２電極５のみを示している。
【００２８】
図５も併せて参照すると、第２電極５は、端子１４，１４間を結ぶ第１の方向１３と直交する第２の方向１５に対して時計方向および反時計方向に所定角度θだけ傾いた複数の導体線１６，１７が所定の間隔で配置されることで、導体線１６，１７によって構成された頂角２θの菱形格子が連続する形状をなしている。
【００２９】
第２電極５にも第１電極３と同様な導電性材料を適用することができ、第１電極３と同様な手段で第２電極基板６上に印刷成形等によって形成することができる。なお、図５においても、図３と同様に、平面視では角度の異なる２本の導体線１６，１７が交叉するように表されているが、導体線１６，１７は前記のように印刷成形等によって形成されるものであり、一の第２電極５内では全てが電気的に導通されているものである。
【００３０】
第２電極基板６にも第１電極基板４と同様な透明の絶縁材料を適用することができる。ここで、本実施形態かかる構成は第１電極３を第１電極基板４に形成して第２電極５を第２電極基板６に形成するものであるが、本発明は第１電極基板４の表面に第１電極３を形成して裏面に第２電極５を形成する構成とすることもできる。かかる構成とする場合には、第２電極基板６を削除することができるが、ディスプレイ側となる第２電極５は保護絶縁体によってコーティング保護される構成とされる。
【００３１】
続いて図６を参照すると、第１電極３が形成された第１電極基板４と、第２電極５が形成された第２電極基板６が接着剤８（図示せず）を介して重畳され、第１電極３の菱形格子状のパターンと第２電極５の菱形格子状のパターンとが重なり新たなパターンが生成されている。
【００３２】
図７も併せて参照すると、第１電極３を構成する導体線１１，１２と、第２電極５を構成する導体線１６，１７とが重畳されている。導体線１１，１２で形成される菱形格子と、導体線１６，１７で形成される菱形格子とは、同型状であって、互いに９０度回転したものであることから、導体線１１と導体線１６とは直交し、導体線１２と導体線１７とは直交する。
【００３３】
互いに直交する導体線１１，１６および導体線１２，１７の交点に注目すると、４辺が導体線１２、導体線１７、導体線１２、導体線１７で形成された正方形１８と、４辺が導体線１１、導体線１６、導体線１１、導体線１６で形成された正方形１９が生成されている。正方形１８と正方形１９とは、同サイズであって、互いに所定角度θだけ回転したものとなる。そして、第１の方向１３に対して反時計回りに所定角度θ傾いた方向、および、第２の方向１５に対して反時計回りに所定角度θ傾いた方向、へ向かった正方形１８を核とする連続パターンが生成されている。一方、第１の方向１３に対して時計回りに所定角度θ傾いた方向、および、第２の方向１５に対して時計回りに所定角度θ傾いた方向、へ向かった正方形１９を核とする連続パターンも生成されている。
【００３４】
前記構成は、複雑な組み合わせを構成することなく、例えば第１電極３と第２電極５との位置関係が前後左右にずれた場合であっても、正方形１８，１９を生成することができる。
【００３５】
特許文献１に開示されているように、正方形が核となって連続するものは、他の多角形状に比べて電極の網目パターンが筋状に認識され難いので好ましい。すなわち、ある正方形以外の多角形状が核となって規則的に連続するパターンを見たとき、その核（開口）の連続する方向に沿って輪郭が連続する筋状に見える傾向があるが、正方形が核となって連続するものではこの様な筋状は現れない。
【００３６】
本実施形態は、第１電極基板４，第２電極基板６に形成された第１電極３と第２電極５とが重畳することによって、第１電極３もしくは第２電極５の延伸方向に対して、所定角度θ及び９０ｄｅｇ−θの方向に正方形が核となって連続するパターンを形成して、タッチパネルの操作者に目視させることができる。すなわち本実施形態では、第１電極３のパターンと第２電極５のパターンとの相互作用によって、所定角度θの方向に正方形が核となって連続するパターンを発生させるようにしており、他の多角形状に比べて電極の網目パターンを筋状に認識され難くすることができる。筋状のパターンは低周波のモアレを生じさせるおそれがあり、本実施形態は正方形が核となって連続するパターンを生成させることで低周波のモアレの発生を規制する。
【００３７】
また、第１電極３と第２電極５の電極パターンは前記のように印刷成形を用いて形成される。第１電極３と第２電極５をそれぞれ別の基板に印刷して重畳する場合であっても、また一つの基板の表裏に印刷する場合であっても、従来技術では電極パターン形成時のレジストレーション誤差（位置ずれ）をなくすことは一般的に困難である。
【００３８】
しかしながら、本実施形態は、特許文献１，２で開示された技術とは異なり、第１，第２電極３，５の相互作用によって正方形が核となって連続する電極パターンがパネル全面で均等に生成される。かかる構成によって、電極パターン形成時にレジストレーションがずれた場合であっても、正方形が核となって均等に連続するパターンが所定角度θに従って途切れることなく生成され、電極パターンそのものによるモアレ及びディスプレイの画素の配置に対する干渉の両方を低減できる。
【００３９】
次に図８〜１０を参照して、従来技術にかかる電極構成によってモアレ対策をした場合の参考例と、本発明を適用した実施例とを比較する。比較にあたっては、水平方向、垂直方向に角格子の画素が配列されたディスプレイにタッチパネル本体が取り付けられた場合について説明する。
【００４０】
図８を参照すると、参考例の従来技術にかかる電極構成において、第１電極３１は、二つの端子３３，３３と、この二つの端子３３，３３間をつなぐ並行した複数の導体線３２とからなっている。なお、第１電極３１は基板（図示せず）上に印刷成形等によって形成されている。一方、第２電極３５は、二つの端子３７，３７と、この二つの端子３７，３７間をつなぐ並行した複数の導体線３６とからなっており、第１電極３１と同様に基板上に印刷成形等によって形成されている。
【００４１】
第１電極３１と第２電極３５とは、絶縁された状態で導体線３２，３６が平面視で直交するように重畳されて、パネル本体３８が形成されている。パネル本体３８は、ディスプレイ（図示せず）の水平方向、垂直方向に配列された画素との相互作用によるモアレの発生を防止するため、バイアス角θ２を３０度で傾斜させた状態でディスプレイに取り付けられている。ここで、パネル本体３８には第１電極３１と第２電極３５が既に形成されているため、バイアス角θ２は図の直交方向に対する第１電極３１の傾き、図の水平方向に対する第２電極３５の傾きとなる。かかる構成は、導体線３２，３６が重畳して正方形が核となって連続する電極パターンを生成させている。
【００４２】
続いて、図９，１０を参照すると、図９は図８で説明した参考例のパネル本体３８をディスプレイに取り付けたときのシミュレーション画像であり、図１０は実施例のパネル本体をディスプレイに取り付けたときのシミュレーション画像である。ここで、実施例は図１，６，７で説明したパネル本体１であり、所定角度θは参考例のバイアス角θ２と同じ３０度としている。
【００４３】
図９を参照すると、参考例では、縦方向に低周波のモアレ４０が発生し、横方向にも低周波のモアレ４１が発生している。一方、図１０に示す実施例では、特に目立った低周波のモアレの発生はない。
【００４４】
また、参考例にかかる図８を再度参照すると、参考例はパネル本体３８を単にバイアス角θ２だけ回転させたため、電気的接続方向である端子３３，３７も回転してパネル本体３８の電極が形成されていない４つの隅３９を生じさせる。この隅３９へ導体線を配線することは困難であり、また配線した場合であっても、検出される電極の配線長が異なるものとなるため、信号処理（補正など）が複雑化するおそれがある。このように参考例では無駄なスペースを生じさせるおそれがある。
【００４５】
一方、実施例では電極の配線等において参考例のような問題は生ぜず、またモアレの発生も抑制することができる。このように実施例は参考例と比べて、パネル本体を複雑な構成とすることが無く、ディスプレイへの取り付けも容易であるため、コスト低減とともに使い勝手を向上させる。
【００４６】
続いて、図１１〜１９を参照して、所定角度θが変化したときの画面の状態を説明する。なお、図１１〜１９は、水平方向、垂直方向に角格子の画素が配列されたディスプレイにタッチパネル本体が取り付けられたときのシミュレーション画像である。
【００４７】
図１１は所定角度θ＝０ｄｅｇ．の場合であり、ディスプレイの画素との間でモアレの発生が見られる。図１２は所定角度θ＝５ｄｅｇ．の場合、図１３は所定角度θ＝１０ｄｅｇ．の場合、図１４は所定角度θ＝１５ｄｅｇ．の場合であり、これらのシミュレーション画像においては所定角度θ＝０ｄｅｇ．の場合のようなディスプレイの画素との間の目立ったモアレは抑制されているが、高周波の細かいモアレの発生が見られる。また、所定角度が大きくなるにつれて、発生するモアレの大きさは細かくなっている。
【００４８】
図１５は所定角度θ＝２０ｄｅｇ．の場合であり、低周波の大きなモアレの発生は見られないが、所定角度θ＝０ｄｅｇ．〜１５ｄｅｇ．と比べてさらに細かくなった高周波のモアレの発生が見られる。
【００４９】
図１６は所定角度θ＝２５ｄｅｇ．の場合、図１７は所定角度θ＝３０ｄｅｇ．の場合であり、この両者は、所定角度θ＝２０ｄｅｇ．以下と比べて、モアレはほとんど目立たなくなっている。
【００５０】
図１８は、所定角度θ＝３５ｄｅｇ．の場合であり、所定角度θ＝２５ｄｅｇ．の場合、所定角度θ＝３０ｄｅｇ．の場合と比べて、多少低周波のモアレの発生が見られるが、あまり目立つものではない。図１９は、所定角度θ＝４０ｄｅｇ．の場合であり、所定角度θ＝２０ｄｅｇ．〜３５ｄｅｇ．と比べて、多少の低周波モアレの発生が見られる。
【００５１】
以上のように、本発明における所定角度θの設定にあたっては、高周波のモアレの発生は見られるが、全体としてディスプレイの画像の視認性を損なわない所定角度θ＝２０ｄｅｇ．〜３５ｄｅｇ．が好ましく、さらに高周波のモアレもほとんど視認できない所定角度θ＝２５ｄｅｇ．〜３０ｄｅｇ．がより好ましいというシミュレーションの結果が得られた。なお、所定の角度がθ＝５０ｄｅｇ．〜８５ｄｅｇ．については、互いに直交する第１電極と第２電極との関係から、前記した所定の角度θ＝５ｄｅｇ．〜４０ｄｅｇ．と同じシミュレーション画像となるため説明を省略している。
【００５２】
このように、本発明は、適宜所定角度θを選択することで、他の多角形状に比べて電極の網目パターンが筋状に認識され難い正方形のパターンを発生させて、モアレの発生、特に低周波のモアレの発生を抑制することができる。
【産業上の利用可能性】
【００５３】
本発明にかかるタッチパネル装置は、第１電極と第２電極とを重畳させたときのモアレ発生を抑制し、特に低周波のモアレ発生を抑制する作用効果を奏し、電極が配設された平板状をなすパネル本体の表面側に、ユーザの指などの指示物によるタッチ操作が行われるタッチ面が平面状に形成されたタッチパネル装置などとして有用である。
【符号の説明】
【００５４】
１    パネル本体
２    パネル基材
３    第１電極
４    第１電極基板
５    第２電極
６    第２電極基板
７，８  接着剤
９    タッチ面
１０，１４  端子
１１，１２，１６，１７  導体線
１８，１９  正方形
【図１】
2011248722.tif 000003
【図２】
2011248722.tif 000004
【図３】
2011248722.tif 000005
【図４】
2011248722.tif 000006
【図５】
2011248722.tif 000007
【図６】
2011248722.tif 000008
【図７】
2011248722.tif 000009
【図８】
2011248722.tif 000010
【図９】
2011248722.tif 000011
【図１０】
2011248722.tif 000012
【図１１】
2011248722.tif 000013
【図１２】
2011248722.tif 000014
【図１３】
2011248722.tif 000015
【図１４】
2011248722.tif 000016
【図１５】
2011248722.tif 000017
【図１６】
2011248722.tif 000018
【図１７】
2011248722.tif 000019
【図１８】
2011248722.tif 000020
【図１９】
2011248722.tif 000021